(57)【特許請求の範囲】
【請求項１】
２つの異なる視野角方向から視認することができる画像を同時に表示する表示部を備える表示装置であって、
複数の外部入力装置の内の１つの外部入力装置を切り替え、該外部入力装置の信号を出力する第１及び第２の切替スイッチと、
視聴している前記視野角方向と反対側の視野角方向から観る画像を切替えの対象画面とする選択切替手段と、前記外部入力装置を切り替える制御信号を生成し、該制御信号によって、前記第１及び第２の切替スイッチを制御する切替手段と、を有し、装置全体の統括制御を行う制御部と、を備え、
前記選択切替手段により、視聴している前記視野角方向と前記反対側の視野角方向から観る画像を決定し、切替えた後、視聴している画面内に、前記反対側方向から観る画像の子画面を生成し、前記表示部に対して該子画面を表示するように制御することを特徴とする表示装置。
【請求項２】
前記選択切替手段は、さらに、前記視聴している画面に、「反対側画面入力切替中」というメッセージを生成し、前記表示部に対して、表示するようにしたことを特徴とする請求項１に記載の表示装置。
【請求項３】
前記切替手段は、前記外部入力装置を切替中、前記視聴している画面と前記視聴している画面の反対側方向から観る画面が一致した場合、デュアルビュー表示モードを解除し、前記子画面を画面表示しないように制御するようするとともに、デュアルビュー表示ｏｆｆの表示を一定時間表示するように制御したことを特徴とする請求項１に記載の表示装置。
【請求項４】
前記切替手段は、前記外部入力装置を切替中、前記視聴している画面と前記視聴している画面の反対側方向から観る画面が一致した場合、デュアルビュー表示モードを解除し、前記子画面及び前記メッセージを画面表示しないように制御するようするとともに、デュアルビュー表示ｏｆｆの表示を一定時間表示するように制御したことを特徴とする請求項２に記載の表示装置。
【請求項５】
前記切替手段は、前記外部入力装置を切替中、前記視聴している画面と前記視聴している画面の反対側方向から観る画面が不一致となった場合、デュアルビュー表示モードを解除状態からデュアルビュー表示状態に戻すとともに、前記子画面を画面表示状態に戻すようにしたことを特徴とする請求項３に記載の表示装置。
【請求項６】
前記切替手段は、前記外部入力装置を切替中、前記視聴している画面と前記視聴している画面の反対側方向から観る画面が不一致となった場合、デュアルビュー表示モードを解除状態からデュアルビュー表示状態に戻すとともに、前記子画面及び前記メッセージを画面表示状態に戻すようにしたことを特徴とする請求項４に記載の表示装置。
【請求項７】
前記視聴している方向と反対側の方向に視聴するユーザが存在しない場合には、前記切替手段は、前記第１及び第２の切替スイッチを同時に制御し、強制的に前記視聴している画面と前記視聴している画面の反対側方向から観る画面を一致させて、デュアルビュー表示を解除するようにしたことを特徴とする請求項１に記載の表示装置。
【発明の詳細な説明】
【技術分野】
【０００１】
本発明は、２つの視野角方向から視聴できるデュアルビュー表示機能とリモコンによる入力切替機能を有する表示装置に関する。
【背景技術】
【０００２】
近年、液晶表示パネル等を用いた表示装置において、特許文献１に開示されているようなデュアルビューディスプレイ技術を採用したデュアルビュー表示を行う表示装置がカーナビ等において使用されつつある。
【０００３】
上記に示すような液晶表示装置にあっては、通常のテレビ受信の画像に限らず、ビデオ、ＤＶＤ、ＣＤ等の複数の画像情報源の中から２つの画像情報源を選択して、２つの視野角方向から同時に、それぞれの画像情報源からの画像を表示することができる。例えば、視野角Ａ方向から視聴するユーザＡは、ビデオ、一方、視野角Ｂ方向から視聴するユーザＢは、ＤＶＤの画像を視聴することができる。
【０００４】
従来、画像情報源を切り替える場合、表示装置では、互いに観ている画像について関知せず、左右のどちらかの画面を指定して、リモコンやタッチパネル等を用いて、画面の切り替えを行っていた。
【０００５】
また、当然ながら、デュアルビュー表示モードで、同一の画像が選択されて表示する場合、デュアルビュー表示モードの画像は、原理的に、通常のノーマル表示モード（デュアル表示モードを解除したモードをいう）の画像に比較して画質が落ちる。
【０００６】
従って、特に、切替動作中に、同一の画像を観ている場合、デュアルビュー表示モード状態で観る必要性もないにもかかわらず、デュアルビュー表示モードのままの状態で、切り替え動作を行っていた。
【特許文献１】特開２００５−２８４５９２号公報
【発明の開示】
【発明が解決しようとする課題】
【０００７】
しかしながら、上記従来技術では、一方の画面から反対側の画面の入力情報源を切り替えようとする場合、デュアルビュー表示モードにおいて、図５に示すように、例えば、Ｂ方向（左画面）からの視野角から観ているユーザは、反対画面であるＡ方向から観ているユーザの画面（右画面）を見る手段がないため、反対側の画面が見えず、所望する画像への切り替えが非常に困難であった。
【０００８】
さらに、上記ＡまたはＢ方向から同一の画面を観ている場合にも、デュアルビュー表示からノーマル表示モードに切り替えるべき判断を瞬時に行うことができないとういう問題点もある。
【０００９】
そこで、本発明は、斯かる実情に鑑み、デュアルビュー表示モード時に、反対画面の切り替えを容易に行うとともに、デュアルビュー表示モード／ノーマル表示モードの自動切換えを行う表示装置を提供しようとするものである。
【課題を解決するための手段】
【００１０】
本発明に係るテレビジョン装置は、上述した目的を達成するために、以下の特徴を備えている。
【００１１】
本発明に係る表示装置は、２つの異なる視野角方向から視認することができる画像を同時に表示する表示部を備える表示装置であって、複数の外部入力装置の内の１つの外部入力装置を切り替え、該外部入力装置の信号を出力する第１及び第２の切替スイッチと、視聴している前記視野角方向と反対側の視野角方向から観る画像を切替えの対象画面とする選択切替手段と、前記外部入力装置を切り替える制御信号を生成し、該制御信号によって、前記第１及び第２の切替スイッチを制御する切替手段と、を有し、装置全体の統括制御を行う制御部と、を備え、前記選択切替手段により、視聴している前記視野角方向と前記反対側の視野角方向から観る画像を決定し、切替えた後、視聴している画面内に、前記反対側方向から観る画像の子画面を生成し、前記表示部に対して該子画面を表示するように制御することを特徴とする。
【００１２】
また、本発明に係る表示装置において、前記選択切替手段は、さらに、前記視聴している画面に、「反対側画面入力切替中」というメッセージを生成し、前記表示部に対して、表示するようにしたことを特徴とする。
【００１３】
また、本発明に係る表示装置において、前記切替手段は、前記外部入力装置を切替中、前記視聴している画面と前記視聴している画面の反対側方向から観る画面が一致した場合、デュアルビュー表示モードを解除し、前記子画面を画面表示しないように制御するようするとともに、デュアルビュー表示ｏｆｆの表示を一定時間表示するように制御したことを特徴とする。
また、本発明に係る表示装置において、前記切替手段は、前記外部入力装置を切替中、前記視聴している画面と前記視聴している画面の反対側方向から観る画面が一致した場合、デュアルビュー表示モードを解除し、前記子画面及び前記メッセージを画面表示しないように制御するようするとともに、デュアルビュー表示ｏｆｆの表示を一定時間表示するように制御したことを特徴とする。
【００１４】
また、本発明に係る表示装置において、前記切替手段は、前記外部入力装置を切替中、前記視聴している画面と前記視聴している画面の反対側方向から観る画面が不一致となった場合、デュアルビュー表示モードを解除状態からデュアルビュー表示状態に戻すとともに、前記子画面及び前記メッセージも画面表示状態に戻すようにしたことを特徴とする。
また、本発明に係る表示装置において、前記切替手段は、前記外部入力装置を切替中、前記視聴している画面と前記視聴している画面の反対側方向から観る画面が不一致となった場合、デュアルビュー表示モードを解除状態からデュアルビュー表示状態に戻すとともに、前記子画面及び前記メッセージを画面表示状態に戻すようにしたことを特徴とする。
【００１５】
また、本発明に係る表示装置は、前記視聴している方向と反対側の方向に視聴するユーザが存在しない場合には、前記切替手段は、前記第１及び第２の切替スイッチを同時に制御し、強制的に前記視聴している画面と前記視聴している画面の反対側方向から観る画面を一致させて、デュアルビュー表示を解除するようにしたことを特徴とする。
【発明の効果】
【００１６】
本発明に係る表示装置は、上述したような手段を備えているため、以下の効果を奏することができる。
【００１７】
本発明に係る表示装置によれば、ＤＶ表示モード時において、視聴している画面内に反対側の画面を縮小した子画面を生成し、表示部に重畳し、この子画面を見て、確認して正確に相手の画面を切り替えることが可能であり、直感的にＤＶ表示モードであることが認識することができる。
【００１８】
また、本発明に係る表示装置によれば、「反対側画面入力切替中」という文字メッセージを生成して、視聴している画面内に重畳することで、現在行っている動作を瞬時に認識することが可能である。
【００１９】
また、本発明に係る表示装置によれば、視聴している画面と反対側の画面が一致すると、デュアルビューモード表示を解除して、分解能を上げた画面を観ることができ、制御し易くするとともに、一定時間ＤＶｏｆｆ表示することで、現在の表示モードの瞬時に確認することが可能である。
【００２０】
また、本発明に係る表示装置によれば、視聴画面と反対画面の一致・不一致を判定することによって、状態に応じて、画面の切替制御を容易にすることができる。
【００２１】
また、本発明に係る表示装置によれば、２ユーザが視聴していない場合には、強制的にＤＶ表示を解除することで、分解能を上げて、画面をより観やすい状態で視聴することができる。
【発明を実施するための最良の形態】
【００２２】
以下、本発明に係る表示装置の実施形態について添付図面を参照して説明する。
【００２３】
なお、各図中、同一の符号を付した部分は、同一又は同等の構成要素を表している。
【００２４】
まず、図１を用いて、本発明に係る表示装置の基本構成及び動作について、以下に説明する。
【００２５】
図１は、本発明に係る表示装置の基本構成を示すブロック図である。
【００２６】
本発明に係る表示装置は、ビデオ１（１０）、ビデオ２（１１）、ＤＶＤ１２等の外部映像装置から左画面用の信号（映像・音声）を選択する切替ＳＷ−Ａ（１３）と右画面用の信号を選択する切替ＳＷ−Ｂ（１４）と、この２つの切替ＳＷ−Ａ，Ｂからの出力信号を液晶表示パネル面に表示できるように制御する液晶表示コントローラ１５と、この制御された出力信号を表示するデュアルビュー表示可能な液晶表示パネル１６と、切替ＳＷ―Ａ（１３）、Ｂ（１４）の制御、液晶表示コントローラ１５の制御及び本装置全体の統括制御を行う制御部１７と、通常のＴＶチャンネル切替等のキーに加えて、上記外部装置の切替操作を行うためのキー等を備えたリモコン１８と、このリモコン１８の信号を検知し、制御部１７へ報知するリモコン信号検知部１９と、を備えて構成されている。
【００２７】
次に、上記構成要素を備えた表示装置における外部入力切替の概略動作について説明する。
【００２８】
リモコン１８に設けられている外部切替キー３０（図３に図示）が押されると、リモコン１８から外部入力切替モードへの移行を知らせる信号が発生し、リモコン信号検知部１９により検知される。制御部１７は、この検知された信号を入力し、外部入力切替モード処理を開始する。
【００２９】
開始された外部入力切替モード処理は、例えば、Ａ方向（左画面とする）から観ているユーザに対して、「反対側の右画面の外部入力切り替えを行う」のか、自分自身が観ている「左画面の外部入力切り替えを行う」のかを促すメッセージを液晶表示パネル１６に表示する。
【００３０】
上記ユーザは、上記表示されたメッセージに従い、リモコン１８の自己・相手選択キー３１（図３に図示）の自己選択キー３１ａ又は相手選択キー３１ｂのどちらかのキーを選択して押下する。ここで、相手選択キー３１ｂが選択されると、後述する相手の画面を切り替える処理に入る。
【００３１】
一方、自己選択キー３１ａが選択されると、通常のＴＶチャンネルを変更する場合と同様に、自己の視聴画面を切り替える処理に入る。但し、表示モードが、デュアルビュー表示モードである場合には、当然ながら、相手側の画面が切り替わらないため、反対側のユーザに対しては、影響は及ぼさない。
【００３２】
このようにして、反対側の画面及び自己の画面の外部入力切替の処理を行わせることができる。
【００３３】
ここで、反対側の画面の外部入力切替の処理と自己の画面の外部入力切替処理は、基本的には、後述する図４のフロー図のうち、ステップＳ１５、２０の処理内容が若干異なる点以外は同じ処理内容である（図４のステップＳ２２）。なお、この点については、フローの動作説明において詳述する。
【００３４】
また、反対側の画面の外部入力切替処理及び自己の画面の外部入力切替処理では、視聴している相手が存在することを前提としている。従って、表示モードは、デュアル表示モードを基本とし、入力切替操作によって、左右の両画面が一致したときに、前述したデュアルビュー表示の解像度の低下を避けるために、一旦、デュアルビュー表示を一定時間、解除し、ノーマル表示（ＤＶ表示モードの解除又はＤＶｏｆｆを意味する）で処理を行う。
【００３５】
明らかに、外部入力切替を行う前に相手が存在しないと分かっている場合では、強制的にＤＶ表示ｏｆｆにして処理を行ってもよい。
【００３６】
次に、図２及び図３を用いて、反対側方向から観る画面の切替動作の基本概念について、以下に説明する。
【００３７】
図２は、キー操作による相手側（反対側）の画面の切替動作の遷移図である。また、図３は、入力切替処理を行うために使用する操作キーを示した図である。
【００３８】
図３に示すように、リモコン１８に設けられている入力切替キー３０は、外部入力装置からの入力信号を切り替えるイベント通知を発生させるためのキーである。また、キー３１は、自己又は相手側の画面のどちらかの画面を切り替えるかの選択を行うキーである。
【００３９】
さらに、十字キー３２の左右キー３２ｃ、ｄは、左又は右画面の切替選択を行う際に使用するキーであり、反対側の画面の外部入力切替の処理と自己の画面の外部入力切替処理のどちらの切替処理でも使用される。
【００４０】
また、上下キー３２ａ、ｂは、選択された切替スイッチＳＷ−Ａ又はＢに接続されている複数の外部入力装置の内、１つを選択するもので、上キー３２ａは、項目をｕｐしながら選択するもので、下キー３２ｂは、項目をｄｏｗｎしながら選択するキーである。
【００４１】
上記説明した左右キー３２ｃ、ｄ及び上下キー３２ａ、ｂを用いて、反対側の画面の切替と外部装置の選択による切替動作の遷移について、図２を用いて、説明を進める。
【００４２】
まず、図２（ａ）に示す状態を初期状態とする。即ち、Ａ方向から視聴する左側の画像が入力切替対象画面２０であり、ユーザが視聴する右側の画面２１が入力切替の制御側の画面である。
【００４３】
左右両画面２０、２１には、外部入力切替ウィンドウ２３が表示される。一方、制御側の画面２１は、入力切替対象画面２０を縮小した子画面２２が重畳されて表示される。また、「反対画面入力切替中」のメッセージが、同時に表示される。
【００４４】
このようにして、相手側の画面の縮小画面である子画面２２を見て確認しながら、上下キー３２を押下して、画面を切り替えることが可能である。ここで、上下キー３２を押下して、入力切替対象画面２０と制御側の右側の画像が一致すると、図２（ｃ）に示す画面に遷移する。
【００４５】
図２（ｃ）に示す画面は、図２（ａ）に示す入力切替対象画面２０には、「山」の画像が表示されているが、画面の切替によって、右側の「リング」が表示されている画像が選択されると、両画面が一致する。この時、自動的にＤＶ表示からＤＶｏｆｆ表示とし、子画面２２及び「反対側画面入力切替中」のメッセージ２４も一時的に消去する。このＤＶｏｆｆとすることで、画質が良い状態となり、観やすさが向上する。
【００４６】
さらに、上下キー３２を押下して、左右の画面が異なると、子画面が表示している図２（ａ）の画面に戻る。
【００４７】
次に、右キー３２ｃが押下されて、入力切替対象画面２０が右画面に移行し、制御側の画面２１も左画面に制御権限が移行し、図２（ｂ）に遷移する。そして、入力切替対象画面２０には、「リング」の画像が表示されているが、切替動作により、左の画面に表示されている「山」の画面に切り替わると、両画面が一致し、図２（ｃ）の場合と同様に、図２（ｄ）の画面に遷移する。
【００４８】
なお、図２（ｄ）の画面に遷移した後、左キー３２ｄを押下して、直接、図２（ａ）の画面に遷移することも可能である。同様に、図２（ｃ）の状態から、右キー３２ｃを押下されると、図２（ｂ）の状態に遷移する。
【００４９】
また、図２（ｂ）の画面に遷移後に、左キー３２ｄを押下して、図２（ａ）の画面に遷移する。
【００５０】
以上のように、簡単なキー操作で、反対側の見えない画面を子画面表示することにより、容易に入力切替を行うことができる。
【００５１】
次に、図４を用いて、反対側の画面の切替動作について、以下に詳細に説明する。
【００５２】
図４は、外部入力切替の動作を示すフロー図である。
【００５３】
入力切替モード処理は、入力切替キー３０が押されることによって実行開始される。入力切替キー３０が押下された判断すると（ステップＳ１０；ＹＥＳ）、反対画面／自己画面切替選択メッセージの表示を行う（ステップＳ１１）。相手画面切替キーが押下されたか否かを判定し（ステップＳ１２）、相手画面切替キー３１ｂが押下されたと判定されると（ステップＳ１２；ＹＥＳ）、反対画面の切替モード処理が開始される。
【００５４】
反対画面の切替モード処理が開始された後、一定時間キー操作があるかないかを判定する（ステップＳ１３）。キー操作があると判定した後（ステップＳ１３；ＮＯ）、左右どちらの画面を切り替えるか選択する切替対象画面キー（左右キー）３２ｃ、ｄが押下されたか否かを判定する（ステップＳ１４）。
【００５５】
切替対象画面キー（左右キー）３２ｃ、ｄが押下したと判定すると（ステップＳ１４；ＹＥＳ）、下記の各手段により、それぞれの処理を実行する（ステップＳ１５）。
【００５６】
（１）として、入力対象画面切替のための選択切替手段により、入力切替の対象画面を選択して、切り替える。
【００５７】
（２）切替手段により、本装置に接続されている複数の外部装置の選択のための外部入力切替ウィンドウを生成し、表示部１６に表示させる。切替制御を行う画面に反対画面の子画面を生成して、表示部１６に表示させる。さらに、「反対側画面入力切替中」というメッセージを作成し、表示部１６に表示させる。
【００５８】
上記２つの処理終了後、外部入力の選択・決定のための上下キー３２ａ、ｂが押下されたか否かを判定し（ステップＳ１６）、押下していないと判定すると（ステップＳ１６；ＮＯ）、ステップＳ１３に戻る。また、押下したと判定すると（ステップＳ１６；ＹＥＳ）、切替ＳＷ−Ａ又はＢ（１３，１４）を制御する制御信号出力し、入力切替操作を行う（ステップＳ１７）。
【００５９】
入力切替操作後、両画面が一致、即ち、切替ＳＷ−Ａ，Ｂ（１３．１４）の出力信号が一致したか否かを判定し（ステップＳ１８）、一致した場合（ステップＳ１８；ＹＥＳ）、ステップＳ２０で、以下の処理を行う。
【００６０】
ＤＶ表示モードを解除し、子画面２２及びメッセージ２４の消去を行う。また、ＤＶ一時解除情報をワークメモリ等に記憶する。さらに、ＤＶｏｆｆの表示を一定時間表示する。
【００６１】
ステップＳ１８において、一致しない場合（ステップＳ１８；ＮＯ）、ステップＳ２０で、一時記憶したＤＶ一時解除情報をクリアし、ＤＶ表示モードに戻す（ステップＳ１９）。
【００６２】
ここで、ステップＳ１３において、一定時間キー操作がなかった場合（ステップＳ１３；ＹＥＳ）、ＤＶ一時解除情報をクリアし、入力切替モードを解除する（ステップＳ２１）。
【００６３】
最後に、自己の画面を直接、切り替える処理について説明する。
【００６４】
ステップＳ２２の処理は、見えない反対側の画面を切り替えるのではなく、自分で観ている画面を直接、切り替える処理である。本実施形態では、１つの完結した処理ステップ形式で記載しているが、処理内容は、ステップＳ１３からステップＳ２１まで、処理の流れは、同じであり、ステップＳ１５とステップＳ２０の処理内容が若干異なるのみである。
【００６５】
ステップＳ１５の変更すべき処理内容は、以下のようになる。
ステップＳ１４で、自己の画面が左右のどちらの画面であるかを判定した後、反対画面を見る必要がないので、子画面２２を表示しない。また、「反対側画面入力切替中」のメッセージ２４も表示する必要がない。この２点を処理内容から削除すればよい。
【００６６】
また、ステップＳ２０の変更点としては、子画面の解除処理が必要ない。
【００６７】
このように、若干の変更のみの変更であるから、本実施形態のように、自己画面の切替処理として完結した処理形式とする必要もなく、ステップＳ１５、２０とは別に、新たなステップを設けて、それぞれの切替処理に応じて分岐するようにしてもよい。
【００６８】
なお、自己画面の切替処理において、相手が存在しない場合があり、この場合には、例えば、キー操作により事前に強制的にＤＶｏｆｆとするようにしてもよい。
【００６９】
以上説明したように、ＤＶ可能な表示装置において、特に、見えない相手側の画面を子画面表示して、画面の切替を簡単なキー操作で容易に行うことが可能である。
【００７０】
尚、本発明に係る表示装置は、上記した実施形態に限定されるものではなく、本発明の要旨を逸脱しない範囲内において種々変更を加え得ることは勿論である。
【図面の簡単な説明】
【００７１】
【図１】本発明に係る表示装置の基本構成を示すブロック図である。
【図２】反対側の画面の切替動作のキー操作による遷移図である。
【図３】入力切替を行うために使用するキーを示した図である。
【図４】外部入力切替の動作を示すフロー図である。
【図５】従来の反対側の画面の切替操作する際の表示画面の図である。
【符号の説明】
【００７２】
１０  ビデオ１
１１  ビデオ２
１２  ＤＶＤ
１３  切替ＳＷ−Ａ
１４  切替ＳＷ−Ｂ
１５  液晶表示コントローラ
１６  液晶表示パネル
１７  制御部
１８  リモコン
１９  リモコン信号検知部
２０  入力切替対象画面
２１  制御側の画面
２２  子画面
２３  外部入力切替ウィンドウ
２４  メッセージ
２５  「ＤＶ表示」のメッセージ
２６  ＤＶｏｆｆ時の表示画面
２７  「ＤＶ  ＯＦＦ」のメッセージ
３０  外部入力切替キー
３１ａ  自己切替選択キー
３１ｂ  相手切替選択キー
３２ａ、３２ｂ  上下キー（入力切替キー）
３２ｃ、３２ｄ  左右キー（対象画面切替キー）
【図１】
0004800058.tif 000002
【図２】
0004800058.tif 000003
【図３】
0004800058.tif 000004
【図４】
0004800058.tif 000005
【図５】
0004800058.tif 000006